(57)【特許請求の範囲】
【請求項１】
遊技盤の遊技部に取り付けられる取付基板には、入賞口、入賞口の下方に位置する回転部材、回転部材の下方に位置する入賞球入口、入賞球入口の左右に位置する一対の羽根部材が設けられたパチンコ機の入賞装置において、
入賞口は、１個の球の通過可能な間隔を左右の方向に開けて対設した一対の障害部と、一対の障害部の１個の球の通過可能な間隔から流下する球の流下方向を後方に転換させる共に当該球を一旦係止させるための一対の球係止部とが、１個の球の通過可能な間隔を上下方向に開けて取付基板から前側に突出された構造であり、
回転部材は、球係止部で流下方向を後側に転換された球を取り込み得るように取付基板に取付基板の前面から後方に窪む前面視円形に形成された凹陥部に回転可能に収設され、凹陥部よりも後側に位置して取付基板に固定された背面板よりも後側に位置して取付基板に取り付けられた電気的駆動源で周方向に回転され、回転部材の前面側と背面側及び周面に開口する１個の球の嵌入可能な切欠孔を有する構造であり、
凹陥部の後壁には排出孔が一対の球係止部の間と周方向にずれた位置であると共に回転部材の切欠孔の軌跡上の位置に開設されており、
凹陥部の後壁と背面板との間には球排出樋が形成されており、
入賞口における一対の障害部の１個の球の通過可能な間隔から一対の球係止部の間に流下した球が一対の球係止部材と回転部材の回転に伴う一対の球係止部の間に位置した回転部材の前面とで貯留され、
この貯留された球が回転部材の回転に伴う一対の球係止部の間に位置した回転部材の切欠孔に嵌入し、
この球の嵌入した切欠孔が回転部材の回転に伴い排出孔と対応した場合に当該切欠孔から球が排出孔を経由して球排出樋に転出され、
一対の羽根部材は、背面板よりも後側に位置して取付基板に取り付けられた上記回転部材を回転する電気的駆動源と別の電気的駆動源で、球の流入不能な閉じた状態と球の流入可能な開いた状態とに、下端側の回動軸を回転中心として左右方向に開閉される構造であり、
球排出樋を通過する球を検出するための検出スイッチが球排出樋を通過する球を検出することによって上記別の電気的駆動源が閉じていた一対の羽根部材を左右に開くことを特徴とするパチンコ機の入賞装置。
【請求項２】
凹陥部に収設された回転部材の前面が取付基板の前面より前側に突出しないことを特徴とする請求項１記載のパチンコ機の入賞装置。
【発明の詳細な説明】
【０００１】
【産業上の利用分野】
この発明はパチンコ機の入賞装置に関し、特に予め定めた特定条件が成立したときに、遊技者に不利な第１状態から遊技者に有利な第２状態に変換可能なパチンコ機の入賞装置に関するものである。
【０００２】
【従来の技術】
周知のように、予め定めた特定条件が成立したときに、遊技者に不利な第１状態から遊技者に有利な第２状態に変換可能な入賞装置を備えるパチンコ機は数多く開発されている。例えば、打球が特定入賞口に入賞するなど特定条件が成立して権利状態にあるときに、打球が権利始動口に入賞することに基づいて、遊技者に不利な第１状態から遊技者に有利な第２状態に変換可能な可変入賞装置を第２状態に変換することのできる所謂第３種と呼ばれるパチンコ機がある。この種のパチンコ機は、一般に権利状態を創出する権利発生装置と、権利始動口と、打球が入賞できずに遊技者に不利な第１状態と打球の入賞が容易で遊技者に有利な第２状態に変換可能な大入賞口としての可変入賞装置を備えている。
【０００３】
【発明が解決しようとする課題】
このため、パチンコ機の設計段階において、権利始動口と可変入賞装置の配置に苦慮しているのが現状である。
一方、遊技者側からみると、打球が権利始動口に入賞後、可変入賞装置が遊技者に有利な第２状態に開放されるのであるが、開放されるまでのロス時間を少なくするために、可変入賞装置が開放中に権利始動口に球を貯留させておかなければならなかった。このため、遊技技術に長けた遊技者と遊技に不慣れな初心者とでは獲得可能な賞球数に大きな差が生じて公平な遊技ができなかった。
尚、この種のパチンコ機に適用したものではないが、可変入賞装置の上方に回転体装置を一体に備える入賞調整装置が、実開平６−３３８５号公報によって開示されている。
本発明は上記に鑑み提案されたもので、コンパクトな構成で遊技盤に自由に配設可能であると共に、遊技性の高い入賞装置を提供することを目的とする。
【０００４】
【課題を解決するための手段】
上記目的を達成するため請求項１に記載した発明は、遊技盤の遊技部に取り付けられる取付基板には、入賞口、入賞口の下方に位置する回転部材、回転部材の下方に位置する入賞球入口、入賞球入口の左右に位置する一対の羽根部材が設けられたパチンコ機の入賞装置において、入賞口は、１個の球の通過可能な間隔を左右の方向に開けて対設した一対の障害部と、一対の障害部の１個の球の通過可能な間隔から流下する球の流下方向を後方に転換させる共に当該球を一旦係止させるための一対の球係止部とが、１個の球の通過可能な間隔を上下方向に開けて取付基板から前側に突出された構造であり、回転部材は、球係止部で流下方向を後側に転換された球を取り込み得るように取付基板に取付基板の前面から後方に窪む前面視円形に形成された凹陥部に回転可能に収設され、凹陥部よりも後側に位置して取付基板に固定された背面板よりも後側に位置して取付基板に取り付けられた電気的駆動源で周方向に回転され、回転部材の前面側と背面側及び周面に開口する１個の球の嵌入可能な切欠孔を有する構造であり、凹陥部の後壁には排出孔が一対の球係止部の間と周方向にずれた位置であると共に回転部材の切欠孔の軌跡上の位置に開設されており、凹陥部の後壁と背面板との間には球排出樋が形成されており、入賞口における一対の障害部の１個の球の通過可能な間隔から一対の球係止部の間に流下した球が一対の球係止部材と回転部材の回転に伴う一対の球係止部の間に位置した回転部材の前面とで貯留され、この貯留された球が回転部材の回転に伴う一対の球係止部の間に位置した回転部材の切欠孔に嵌入し、この球の嵌入した切欠孔が回転部材の回転に伴い排出孔と対応した場合に当該切欠孔から球が排出孔を経由して球排出樋に転出され、一対の羽根部材は、背面板よりも後側に位置して取付基板に取り付けられた上記回転部材を回転する電気的駆動源と別の電気的駆動源で、球の流入不能な閉じた状態と球の流入可能な開いた状態とに、下端側の回動軸を回転中心として左右方向に開閉される構造であり、球排出樋を通過する球を検出するための検出スイッチが球排出樋を通過する球を検出することによって上記別の電気的駆動源が閉じていた一対の羽根部材を左右に開くことを特徴とするものである。また、請求項２に記載した発明は、凹陥部に収設された回転部材の前面が取付基板の前面より前側に突出しないことを特徴とするものである。
【０００５】
【作用】
請求項１に記載した発明は、入賞口から回転部材の切欠部に嵌入した球が回転部材の回転に伴い切欠部から球排出孔から球排出通路に転出されると、一対の羽根部材が左右に開き、球が遊技部から開いた一対の羽根部材で入賞球入口に入賞しやすくなる。そして、一対の羽根部材が左右に開いた状態において、遊技部から入賞口の一対の障害部の間を通過した球が、一対の球係止部材と一対の球係止部の間に位置した回転部材の前面とで貯留され球または一対の球係止部の間に位置した回転部材の周面に衝突した場合、当該球は一対の障害部と一対の球係止部とで上下方向に開けられた１個の球の通過可能な間隔を経由して下方の開いた一対の羽根部材の間に向かって流下し、球が開いた一対の羽根部材で入賞球入口に入賞しやすくなる。また、請求項２に記載した発明は、上部の入賞口と下部の一対の羽根部材との間を球が左右に交流する。
【０００６】
【実施例】
以下、本発明を図面の実施例について説明すると、図１は遊技盤１の正面図であって、この遊技盤１にはガイドレール１１で囲まれる遊技部１２を形成し、該遊技部１２のほゞ中央部縦方向に、可変図柄表示装置２、本発明に係る入賞装置３を配設する。また、遊技部１２の右側領域には、上方から順に、ランプ風車１３、一般入賞具１４、一般入賞装置１５並びに一般入賞具１６を配設し、左側領域には、ランプ風車１３、図柄始動口４、権利発生装置５並びに一般入賞具１６を配設する。更に、最下部にはアウト口１７を開設し、遊技部１２の適宜位置には、風車１８、サイドランプ１９、障害釘等を適宜配設する。
【０００７】
本発明に係る入賞装置３は、例えば図２ないし図７に示すように、遊技盤１に取り付けるための取付基板６１を含むベース部材６、該ベース部材６の前面側に設けた上飾り部材７及び下飾り部材８、上記ベース部材６の後方に設けた背面板９等を中心に構成してある。
【０００８】
上記上飾り部材７は、入賞口７１を構成するものであって、入賞口７１は球導入部７２及び球係止部７３を備えている。球導入部７２は、上飾り部材７の上縁に沿って球１個が通過可能な間隔を開けて対設した一対の障害部７４によって構成される。即ち、上記障害部７４の間に球導入孔７５を設けてなる。この球導入孔７５の下方には、当該球導入孔７５から流下する球を一旦係止させると共に、流下方向を後方に転換させるための球係止部７３を設ける。この球係止部７３は、ほゞ球の直径分の間隔で対設した一対の係止片７６と、後方へ向けて緩く下り傾斜する底片７７とからなる。
【０００９】
また、上記球導入部７２と球係止部７３との間は球が流出可能なように開放されており、先行する球が球係止部７３に係止した状態では、後続の球は係止した球に衝突して左右に分れてベース部材６の前面側を流下することになる。
【００１０】
ベース部材６の中程、前記入賞口７１を形成する上飾り部材７の下方には、円形の凹陥部６２を設けると共に、該凹陥部６２内に後述する回転部材６３を回転自在に収設する。尚、回転部材６３の前面とベース部材６の前面とはほゞ面一になっている。
【００１１】
回転部材６３には、貯留部として球が１個嵌入可能な切欠孔６４を設ける。この切欠孔６４は、前面側及び背面側が開口すると共に、周面も開口している。また、回転部材６３は、電気的駆動源としてモータ６５を備える。このモータ６５は、モータ取付板６６に止着してあり、該モータ取付板６６は背面板９にボス９１を介して止着されている。尚、モータ取付板６６には、コネクタ類を配設した中継基板９２が設けてあり、電気配線の中継を行っている。
【００１２】
上記モータ６５を駆動すると回転部材６３が所定の速度で回転する。回転部材６３が回転すると、球係止部７３に載って待機している球は、切欠孔６４が巡って来ると前面側から切欠孔６４に嵌入する。
【００１３】
一方、上記回転部材６３を収設した凹陥部６２の後壁には、球の排出孔６７を開設する。この排出孔６７は、回転部材６３の切欠孔６４の軌跡上に位置し、図示の実施例では、球導入部７２の左斜め下に開設してある。即ち、回転部材６３が図２において時計方向に回転するとき、球導入部７２から到達するまでに最も時間の掛かる位置に開設してある。そして、切欠孔６４と排出孔６７が一致すると、切欠孔６４に嵌入していた球が背面側から排出孔６７に転出する。
【００１４】
上記排出孔６７には球排出樋６８が続き、該球排出樋６８はベース部材６と背面板９とによって形成してある。また、球排出樋６８には、当該球排出樋６８を通過する球を検出するための検出スイッチ６９を臨ませる。従って、球排出樋６８を流下する球は、上記検出スイッチ６９に検出された後、機裏へ排出される。尚、この背面板９には、ランプ基板９３を設けてランプ９４が設けてあり、検出スイッチ６９に検出されると上飾り部材７を背面側から照明するようになっている。
【００１５】
回転部材６３の下方には、電気的駆動源により作動して遊技者に不利な第１状態と遊技者に有利な第２状態とに変換可能な可動部材８１を回動自在に軸着する。即ち、第１状態と第２状態に変換可能な大入賞口８２としての可変入賞装置を形成する。図示の実施例によれば、一対の羽根部材８１ａを回動自在に軸着すると共に、駆動源としてソレノイド８３をクランク機構８４を介して連結してある。尚、下飾り部材８は上記羽根部材８１ａの前面側を覆っている。
【００１６】
上記羽根部材８１ａは、下端側に設けた回動軸８４ａをベース部材６の軸受部に回動自在に挿通してある。また、この回動軸８４ａの後端にはクランク部材８４ｂを設け、該クランク部材８４ｂのクランクピン８４ｃを、クランクレバー８４ｄの長孔に遊嵌する。クランクレバー８４ｄは屈曲部をソレノイド取付板８５に対して揺動自在に軸着され、他端がソレノイド８３のプランジャ８３ａに枢着されると共に、枢着ピン８３ｂがソレノイド取付板８５のガイド孔８５ａに遊嵌する。尚、上記ソレノイド取付板８５は、図６に示すようにほゞ左右対称な門型部材になっている。
【００１７】
羽根部材８１ａの外面はほゞ円弧を描く曲面に形成され、閉止状態では先端を互いに当接させている。従って、羽根部材８１ａが閉止した状態では、打球は後述する入賞球入口８６に入ることができない。
【００１８】
一方、上記ソレノイド８３を励磁すると、プランジャ８３ａが牽引されてクランクレバー８４ｄが回動し、連れて羽根部材８１ａが外向きに回動する。従って、図２に示すように、羽根部材８１ａの先端が大きく開いて打球が入球し易い第２状態に変換する。そして、入賞球入口８６に入った球は、入賞球通路８７を通って機裏へ排出される。
【００１９】
そして、本発明に係る入賞装置３は、前記した入賞口７１と上記可動部材８１との間は、遊技部１２の右側領域を流下する球が左側領域へ移行可能なように、少なくとも遊技球１個が交流可能な交流面が形成してある。尚、図示の実施例では、前記したように羽根部材８１ａの外側面を下方が広がった曲面に形成すると共に、上飾り部材７の障害部７４の外側面を下方がすぼまった曲面に形成して、左右の球が交流し易いようになっている。
【００２０】
上記のような構成の入賞装置３、即ち一つのベース部材６上に入賞口７１と回転部材６３と大入賞口８２とを備える入賞装置３によれば、当該入賞装置３が遊技盤１上に占める面積が減少するので、ゲージ設計が著しく容易になる。しかも、遊技部１２の右側領域と左側領域とが交流可能であるので、変化に富んだ遊技が可能になる。
【００２１】
次に、上記のような入賞装置３と共に遊技部１２に配設する権利発生装置５について説明する。図示の実施例では、振分装置付き電動役物を権利発生装置５に適用している。
【００２２】
この振分装置付き電動役物は、取付基板５１の前面側に、一対の回動羽根５２を回動支軸５３によって取付基板５１に対して回動自在に軸着し、回動支軸５３の後端に羽根クランク５４を設け、該羽根クランク５４とソレノイド５５のプランジャ５５ａとをクランク部材５６によって連絡する。
【００２３】
一方、上記クランク部材５６には作動レバー５７を連結する。そして、この作動レバー５７の下端部分には、ほゞ中程を揺動自在に軸着された球受作動クランク５８を連結する。更に、球受作動クランク５８の前端側には、後述する入賞球保留位置と入賞球保留解除位置との間を上下動する保留球受５９を連結する。
【００２４】
上記回動羽根５２と前飾り部材５０が形成する入賞領域の内側には、保留球受５９を設けて入賞球の保留位置４１と一般入賞口４２を形成する。即ち、枠状の保留球受５９によって、入賞領域を中央の保留位置４１と左右の一般入賞口４２とに分離する。また、保留位置４１には特定領域を連通させる。即ち、権利発生用のスイッチ４３を臨ませた特定領域用樋４４を連通させるのである。
【００２５】
次に、上記のような構成の権利発生装置５の動作について簡単に説明する。通常の状態では、ソレノイド５５が消磁されているので、プランジャ５５ａが突出して、作動レバー５７が下降すると共に保留球受５９が上昇している。従って、回動羽根５２が閉じて入賞領域を閉塞すると共に、特定領域の入口が保留球受５９によって塞がれる。
【００２６】
一方、可変図柄表示装置２における図柄表示が所定の態様になる等、開放条件が成立するとソレノイド５５が励磁されてプランジャ５５ａが牽引され、作動レバー５７が上昇すると共に保留球受５９が下降する。従って、入賞領域への打球の流入が可能になる。そこで、入賞領域へ流入した球は、保留球受５９と球止め壁４５によって１個保留される。しかし、続いて流入する球は、保留球に進路を阻まれるため、一般入賞口４２へ流入することになる。
【００２７】
そして、所定時間の経過等、閉止条件が成立すると、ソレノイド５５が消磁される。従って、前記したようにプランジャ５５ａが牽引されて回動羽根５２が閉じると共に、保留球受５９が上昇する。このとき、当該保留球受５９に載っていた保留球は、球止め壁４５による支えを失うので、特定領域へ転入し、権利発生用スイッチ４３に作用する。そして、この権利発生用スイッチ４３が作動すると、権利状態になる。
【００２８】
このように、入賞領域へ複数個の入球があっても、権利発生用スイッチ４３へは１球しか作用しないので、権利が発生した直後に当該権利が消滅する恐れがない。しかも、一つのソレノイド５５によって、球の振り分けと、回動羽根５２の開閉とを行うことができるので、コストの著しい削減が可能である。
【００２９】
次に、前記したような入賞装置３並びに権利発生装置５を配設したパチンコ機のゲ−ムについて簡単に説明する。
【００３０】
先ず、遊技者は、図柄始動口４に設定された左側の入賞具を狙って打球を発射する。この打球が図柄始動口４に入球し、図柄始動スイッチ４ａがオンすると、可変図柄表示装置２における図柄表示が変換（回転）する。そして、この可変図柄表示装置２が表示する図柄が所定の態様になったとき、権利発生装置５が作動する。
【００３１】
尚、図柄表示が回転中に、図柄始動スイッチ４ａが再びオンすると、可変図柄表示装置２に設けた４個のＬＥＤ素子からなる始動記憶表示灯が、始動入賞に応じて最大４個まで点灯すると共に始動入賞データを最大４個まで記憶する。そして、図柄表示が停止した時点で始動入賞データを記憶している場合は、この記憶データを１減算すると共にＬＥＤを１個消灯して図柄表示の回転を開始する。
【００３２】
権利発生装置５が作動すると、ソレノイド５５が励磁されるので、回動羽根５２が開放されると共に、保留球受５９が入賞球の保留位置４１へ下降する。この状態でも遊技者は、遊技部１２の左側領域を狙って弾発すればよい。
【００３３】
そして、打球が、権利発生装置５に入球すると、保留位置４１に球１個が保留される。一方、前記したように他の球は一般入賞口４２へ入球する。やがて、所定時間が経過して回動羽根５２が閉止すると共に保留球受５９が上昇して、保留球を特定領域へ放球する。放球された保留球は、権利発生用スイッチ４３によって捉えられて権利状態になる。このとき、権利発生用スイッチ４３には、保留球であった１球しか作用しないので、複数の球が入賞領域へ流入しても球が続けて権利発生用スイッチ４３に作用することがない。従って、権利を行使する以前に権利状態が消滅する恐れがない。
【００３４】
権利状態になったならば、遊技者は権利始動口へ打球を入賞させる。即ち、本発明に係る入賞装置３を狙って打球を発射するのである。この状態にあっても、遊技者は遊技部１２の左側領域を狙っていればよい。
【００３５】
打球が入賞装置３の入賞口７１である球導入部７２に飛入すると、球導入孔７５を通って球係止部７３に落下し、該球係止部７３において回転部材６３の切欠孔６４が巡って来るまで待機する。球係止部７３に球が係止している状態では、続いて球導入部７２に嵌入しても、この後続球は係止している球に邪魔されて球係止部７３に入ることができず、左右に分れてベース部材６の前面側に排出される。
【００３６】
そして、回転部材６３の切欠孔６４が巡ってくると、待機していた球はこの切欠孔６４に前方側から嵌入する。切欠孔６４に嵌入した球は、回転部材６３の回転に伴って排出孔６７へ移送され、排出孔６７から球排出樋６８を通って機裏へ排出される。このとき球排出樋６８に設けた検出スイッチ６９に作用して、特別遊技を開始する。
【００３７】
特別遊技は、大入賞口８２へ１０個の球が入賞するか、所定時間例えば１０秒経過するまでの何れか早く達成される停止条件を満たすまで大入賞口８２である可動部材８１を開放する。この大入賞口８２の開放は、権利始動口へ入球することに基づいて最大１６回まで可能である。
【００３８】
ところで、本発明に係る入賞装置３は、権利始動口と大入賞口８２が一つのベース部材６上に並設してあり、交流面を有している。従って、遊技部１２の右側領域と左側領域とが交流可能であるので、遊技者は特別遊技が開始したからといって打球の狙いを変える必要がなく、分り易い遊技になっている。また、遊技技術に差が出難いので、公平な遊技が可能である。
【００３９】
しかも、回転部材６３の回転時間を大入賞口８２の開放時間よりも長め、例えば１２秒に設定しておけば、大入賞口８２の開放中に、次の開放へ移行してしまうことがなく、権利を十二分に行使可能である。
【００４０】
更に、権利始動口と大入賞口８２とを並設すると共に交流面を備える本発明に係る入賞装置３は、権利始動口としての入賞口７１に入らなかった球が可動部材としての羽根部材８１ａに左右両領域から拾われて大入賞口８２へ入賞可能である。従って、無駄球の発生がなく、大入賞口８２が閉じる前に権利始動口に球を貯留させておくことができるので、時間的なロスもなく、効率的な遊技が可能である。
【００４１】
次に、入賞口７１と、当該入賞口７１の入賞球を受け入れる貯留部を形成した回転部材６３と、前記入賞口７１への入賞球を検出する第１の検出手段と、前記貯留部の貯留球を検出する第２の検出手段と、遊技者に不利な第１状態と遊技者に有利な第２状態とに変換可能な可動部材８１とを備え、前記第１の検出手段により可動部材８１を作動させ、前記第２の検出手段により可動部材８１を停止するようにした本発明に係る入賞装置３０を、図８ないし図１１に示す。
【００４２】
即ち、この入賞装置３０は、前記した入賞装置３とほゞ同様な構成に加え、入賞口７１に入球した球を検出する第１の検出手段１００を備え、回転部材６３の切欠孔６４を介して球排出樋６８に流入した球を検出する検出スイッチ６９を第２の検出手段としている。
【００４３】
第１の検出手段１００は検出スイッチ１０１によって構成され、入賞口７１即ち球導入部７２に入球した球を検出すると、可動部材８１を開放する。一方、第２の検出スイッチ６９が球排出樋６８を通過する球を検出すると、可動部材８１を閉止する。
【００４４】
従って、可動部材８１が開放している時間は、第１の検出手段１００である検出スイッチ１０１の検出出力と、第２の検出手段である第２の検出スイッチ６９の検出出力に依存する。即ち、球が入賞口７１に入るタイミングによって、回転部材６３の切欠孔６４の到来を待つ時間が異るので、可動部材８１が開放している時間に変化が生じることになる。そこで、変化に富んだ遊技が可能になって遊技性の高いゲ−ムが可能になる。
【００４５】
尚、第１の検出スイッチ１０１は、図８や図９に示す位置ばかりではなく、図８に符号Ｓで示す位置、即ち球係止位置の球を検出するようにしてもよい。また、回転部材６３の回転速度や回転方向を制御するようにすることも可能である。
【００４６】
以上本発明を図面の実施例について説明したが、本発明は上記した実施例に限定されるものではなく、特許請求の範囲に記載した構成を変更しない限り適宜に実施できる。例えば、図示の実施例では、所謂第３種パチンコ機について説明したが、本発明に係る入賞装置は他の種類に属するパチンコ機に適用することも容易に可能である。
【００４７】
【発明の効果】
以上要するに請求項１に記載した発明は、遊技盤の遊技部に取り付けられる取付基板には、入賞口、入賞口の下方に位置する回転部材、回転部材の下方に位置する入賞球入口、入賞球入口の左右に位置する一対の羽根部材が設けられたパチンコ機の入賞装置において、特に、入賞口における１個の球の通過可能な間隔を左右の方向に開けて対設した一対の障害部と、一対の障害部の１個の球の通過可能な間隔から流下する球の流下方向を後方に転換させる共に当該球を一旦係止させるための一対の球係止部とが、１個の球の通過可能な間隔を上下方向に開けて取付基板から前側に突出されており、球排出樋を通過する球を検出するための検出スイッチが球排出樋を通過する球を検出することによって回転部材を回転する電気的駆動源と別電気的駆動源が閉じていた一対の羽根部材を左右に開くので、入賞口から回転部材の切欠部に嵌入した球が回転部材の回転に伴い切欠部から球排出孔から球排出通路に転出されると、一対の羽根部材が左右に開き、球が遊技部から開いた一対の羽根部材で入賞球入口に入賞しやすくなる一方、一対の羽根部材が左右に開いた状態において、遊技部から入賞口の一対の障害部の間を通過した球が、一対の球係止部材と一対の球係止部の間に位置した回転部材の前面とで貯留され球または一対の球係止部の間に位置した回転部材の周面に衝突した場合、当該球は一対の障害部と一対の球係止部とで上下方向に開けられた１個の球の通過可能な間隔を経由して下方の開いた一対の羽根部材の間に向かって流下し、球が開いた一対の羽根部材で入賞球入口に入賞しやすくなるという効果を奏する。また、請求項２に記載した発明は、凹陥部に収設された回転部材の前面が取付基板の前面より前側に突出しないので、上部の入賞口と下部の一対の羽根部材との間を球が左右に交流することができるという効果を奏する。
【図面の簡単な説明】
【図１】本発明に係る入賞装置を配設した遊技盤の正面図である。
【図２】本発明に係る入賞装置の正面図である。
【図３】本発明に係る入賞装置の縦断面図である。
【図４】ベース部材を背面側から見た球の流れの説明図である。
【図５】背面板部分の説明図である。
【図６】ソレノイド取付板の斜視図である。
【図７】クランクレバーの斜視図である。
【図８】本発明に係る入賞装置の正面図である。
【図９】本発明に係る入賞装置の縦断面図である。
【図１０】ベース部材を背面側から見た球の流れの説明図である。
【図１１】背面板部分の説明図である。
【図１２】権利発生装置の一部欠截正面図である。
【図１３】権利発生装置の背面図である。
【図１４】球を保留した状態の縦断面図である。
【図１５】球を放球した状態の縦断面図である。
【符号の説明】
１  遊技盤
２  可変図柄表示装置
３  入賞装置
４  図柄始動口
５  権利発生装置
６  ベース部材
１２  遊技部
６３  回転部材
６４  貯留部としての切欠孔
６５  駆動源としてのモータ
６９  第２の検出手段としての検出スイッチ
７１  入賞口
８１  可動部材
８２  大入賞口
１０１  第１の検出手段としての検出スイッチ
【図１】
0003552757.tif 000002
【図２】
0003552757.tif 000003
【図３】
0003552757.tif 000004
【図４】
0003552757.tif 000005
【図５】
0003552757.tif 000006
【図６】
0003552757.tif 000007
【図７】
0003552757.tif 000008
【図８】
0003552757.tif 000009
【図９】
0003552757.tif 000010
【図１０】
0003552757.tif 000011
【図１１】
0003552757.tif 000012
【図１２】
0003552757.tif 000013
【図１３】
0003552757.tif 000014
【図１４】
0003552757.tif 000015
【図１５】
0003552757.tif 000016